(57)【要約】【課題】  本発明は、使用勝手の良好な家具を提供する。【解決手段】  家具Ａは、右側板１と、左側板２と、この左側板２と右側板１との間の背面側に設けられた背面板３とを備えてなる家具Ａにおいて、左側板２と右側板１との間に設けられると共に、家具Ａの奥行き方向に出し入れ自在に取り付けられ、物を入れる収納部４と、収納部4に取り付けられ、収納部4の開口部を開閉する蓋７と、収納部４を家具Ａの奥への収納時、左側板２と右側板１との間にスペース１０が形成され、該スペース１０に椅子２０が入れられている。【選択図】図４
2006014914.tif 000002
【特許請求の範囲】
【請求項１】
右側板と、左側板と、この左側板と前記右側板との間の背面側に設けられた背面板とを備えてなる家具において、
前記左側板と前記右側板との間に設けられると共に、前記家具の奥行き方向に出し入れ自在に取り付けられ、物を入れる収納部と、
前記収納部に取り付けられ、前記収納部の開口部を開閉する蓋と、
前記収納部を前記家具の奥への収納時、前記左側板と前記右側板との間にスペースが形成され、該スペースに椅子が入れられている
ことを特徴とする家具。
【請求項２】
蓋の裏面には、鏡が設けられ、
収納部は、少なくとも、前記蓋の開閉に伴い昇降する昇降部と、この昇降部の手前に位置し、小物を収納する小物引き出し部とを備え、
前記収納部の開口部の前記小物引き出し部の天井に位置する部分は、収納部天板により閉塞されている
ことを特徴とする請求項１記載の家具。
【請求項３】
小物引き出し部の底部は、蓋が閉じた状態の昇降部及びスペースに収納された椅子の座より高い位置にある
ことを特徴とする請求項２記載の家具。
【請求項４】
左側板と右側板との間に設けられ、背面板に当接すると共に、収納部より上に位置し、小物を載せる小物載置台とを備えている
ことを特徴とする請求項２乃至３記載の家具。
【請求項５】
左側板又は右側板に他の家具と連結部材により連結する
ことを特徴とする請求項２乃至３記載の家具。
【発明の詳細な説明】
【技術分野】
【０００１】
本発明は、家具に係り、特に、使用勝手の良好な家具に関する。
【背景技術】
【０００２】
本件発明者は、先に、収容体（収納部）内に昇降自在な載置台（昇降部）を有する家具を提案した（例えば、特許文献１参照。）。
【０００３】
【特許文献１】特開２００３−３１０３６３号公報
【０００４】
しかしながら、上述した家具にあっては、収容体（収納部）は固定であるため、例えば、「収容体（収納部）との位置関係により、スペースを形成して、該スペースに椅子を入れて、椅子が邪魔にならないように、コンパクトに収納する」等使用勝手の点で改善の余地があった。
【発明の開示】
【発明が解決しようとする課題】
【０００５】
本発明は、上述した点を考慮してなされたもので、使用勝手の良好な家具を提供することを目的としている。
【課題を解決するための手段】
【０００６】
前記した目的を達成するための本発明の家具は、右側板と、左側板と、この左側板と前記右側板との間の背面側に設けられた背面板とを備えてなる家具において、前記左側板と前記右側板との間に設けられると共に、前記家具の奥行き方向に出し入れ自在に取り付けられ、物を入れる収納部と、前記収納部に取り付けられ、前記収納部の開口部を開閉する蓋と、前記収納部を前記家具の奥への収納時、前記左側板と前記右側板との間にスペースが形成され、該スペースに椅子が入れられている。
【０００７】
また、請求項２記載の家具は、請求項１記載の家具において、蓋の裏面には、鏡が設けられ、収納部は、少なくとも、前記蓋の開閉に伴い昇降する昇降部と、この昇降部の手前に位置し、小物を収納する小物引き出し部とを備え、前記収納部の開口部の前記小物引き出し部の天井に位置する部分は、収納部天板により閉塞されている。
【０００８】
また、請求項３記載の家具は、請求項２記載の家具において、小物引き出し部の底部は、蓋が閉じた状態の昇降部及びスペースに収納された椅子の座より高い位置にある。
【０００９】
また、請求項４記載の家具は、請求項２乃至３記載の家具において、左側板  と右側板との間に設けられ、背面板に当接すると共に、収納部より上に位置し、小物を載せる小物載置台とを備えている。
【００１０】
また、請求項５記載の家具は、請求項２乃至３記載の家具において、左側板又は右側板に他の家具と連結部材により連結する。
【発明の効果】
【００１１】
請求項１記載の家具によれば、家具の使用時、収納部を前に引き出して、例えば、蓋を置き台として利用でき、家具を使用しないときには、収納部を家具の奥へと収納すると共に、左側板と右側板との間に形成されたスペースに椅子を入れることにより椅子が邪魔とならず、コンパクトに収納することができ、使用勝手の良好な家具を得ることができる。
【００１２】
また、請求項２記載の家具によれば、前述した請求項１記載の発明の効果に加え、蓋の裏面に鏡を設けることにより、化粧台（ドレッサー）として使用でき、蓋を開けて化粧用容器を載置した昇降部を上げ、その手前に収納部天板が位置するため、収納部天板を化粧する際、容器等を置いたりする置き台として利用することができる。
【００１３】
また、請求項３記載の家具によれば、前述した請求項２記載の発明の効果に加え、小物引き出し部の底部は、蓋が閉じた状態の昇降部及びスペースに収納された椅子の座より高い位置にあるため、椅子の座が小物引き出し部の底部に接触することが防止され、椅子をスペースに収納することができる。
【００１４】
また、請求項４記載の家具によれば、前述した請求項２乃至３記載の発明の効果に加え、収納部は移動すると共に蓋は開閉するため、蓋の上に小物を常時置くことはできないが、小物載置台は、固定されているため、小物載置台の上に小物を常時置くことができる。
【００１５】
また、請求項５記載の家具によれば、前述した請求項２乃至３記載の発明の効果に加え、家具を設置する場所に応じて対応することができると共に不安定な家具を他の家具と連結することにより強度の向上を図ることができる。
【発明を実施するための最良の形態】
【００１６】
本発明の一実施例の家具を図面を参照して説明する。
図１乃至図９において、Ａは家具（例えば、ドレッサー）で、家具Ａは、概略的に、右側板１と、左側板２と、この左側板２と右側板１との間の背面側に設けられた背面板３とを備えている。
【００１７】
４は物を入れる収納部で、収納部４は左側板２と右側板１との間に設けられ  ると共に、家具Ａの奥行き方向に出し入れ自在に取り付けられている。取り付けは、例えば、左側板２、右側板１の対向する部分にそれぞれ左摺動凹溝５、右摺動凹溝６を取り付けると共に、左摺動凹溝５に対向する収納部４の側壁に水平方向に移動自在となるように左摺動凹溝５に係合する左水平ガイド５１を、右摺動凹溝６に対向する収納部４の側壁に水平方向に移動自在となるように右摺動凹溝６に係合する右水平ガイド６１をそれぞれ取り付けている。
【００１８】
従って、収納部４を家具Ａの奥への収納時（図４参照）、左側板２と右側板
１との間にスペース１０が形成され、スペース１０に椅子２０が入れられるようになっている。
この家具Ａによれば、家具Ａの使用時、収納部４を前に引き出して（図５、図６参照）、例えば、後述する蓋４４を置き台として利用でき、家具Ａを使用しないときには（図４参照）、収納部４を家具Ａの奥へと収納すると共に、左側板２と右側板１との間に形成されたスペース１０に椅子２０を入れることにより椅子２０が邪魔とならず、コンパクトに収納することができ、使用勝手の良好な家具Ａを得ることができる。
【００１９】
７は、収納部４の開口部を開閉する蓋で、蓋７は、収納部４に取り付けられている。取り付けは、例えば、蝶番７１を介して、収納部４に取り付けら、収納部４の開口部を開閉するようになっている。蓋７の裏面には、鏡７２が設けられている。
そして、収納部４は、少なくとも、蓋７の開閉に伴い昇降する昇降部４１と、この昇降部４１の手前に位置し、小物を収納する小物引き出し部４２とを備えている（図２参照）。
昇降部４１は、例えば、天井部が開放された凹形状で、背の高い容器（図示せず）を載せて、収納部４内に収納できるようになっている。
特に、蓋７の裏面に鏡７２を設けることにより、化粧台（ドレッサー）として使用でき、蓋７を開けて化粧用容器（図示せず）を載置した昇降部４１を上げ、その手前に後述する収納部天板４４が位置するため、収納部天板４４を化粧する際の、容器等を置いたりする置き台として利用することができる。
【００２０】
昇降部４１の昇降は、第１のリンクＲ1と第２のリンクＲ2 により行われる。 第１のリンクＲ1 の一端は蓋７の裏面に、第１のリンクＲ1 の他端は収納部４の内壁にそれぞれ取り付けられ、第１のリンクＲ1 の中途（図示Ｘ）で折曲自在となっており、また、第２のリンクＲ2の一端は蓋７の裏面に、第２のリンクＲ2の他端は昇降部４１にそれぞれ取り付けられている。
また、収納部４の開口部の小物引き出し部４２の天井に位置する部分は、収納部天板４４により閉塞されている。小物引き出し部４２は、天井部が開放された
凹形状で、小物引き出し部４２の天井部は、小物引き出し部４２が収納状態、つまり、小物引き出し部４２が収納部４に収まった状態（図４参照）では、小物引き出し部４２の天井部に収納部天板４４が位置するようになっている。
【００２１】
なお、昇降部４１の昇降をスムーズに行うため、昇降部４１と収納部４との対向する部分、つまり、収納部４の内壁に垂直方向に垂直摺動凹溝４６が、収納部４の内壁と対向する昇降部４１に垂直摺動凹溝４６に係合する垂直ガイド４７がそれぞれ取り付けられ、また、昇降部４１と収納部４との対向する部分の収納部４の側に垂直方向に間隔を設けて、第１の垂直部材４８、第２の垂直部材４９が取り付けられている。
【００２２】
また、図４に示すように、小物引き出し部４２の底部４２ａ及び底部４２ａを支持する部材４２ｂは、蓋７が閉じた状態の昇降部４１及びスペース１０に収納された椅子２０の座２０ａより高い位置にある。その結果、椅子２０の座２０ａが小物引き出し部４２の底部４２ａ及び底部４２ａを支持する部材４２ｂに接触することが防止され、椅子２０をスペース１０に収納することができる。
【００２３】
また、３０は小物を載せる小物載置台で、小物載置台３０は左側板２と右側板１との間に設けられ、背面板３に当接すると共に、収納部４より上に位置している。なお、収納部４は移動すると共に蓋７は開閉するため、蓋７の上に小物を常時置くことはできないが、小物載置台３０は、固定されているため、小物載置台３０の上に小物を常時置くことができるようになっている。
【００２４】
また、家具Ａは、室内の配置の関係、使用者の好みに応じて、例えば、他の家具Ｂの左側に位置したり（図１０及び図１１参照）、他の家具Ｂの右側に位置したり（図１２及び図１３参照）でき、他の家具Ｂと連結部材４０（例えば、ボルト４０ａ、ナット４０ｂ）により連結して強度の向上を図ることができるようになっている。
図１０及び図１１においては、連結部材４０により、家具Ａの右側板１と他の家具Ｂとを、図１２及び図１３においては、家具Ａの左側板２と他の家具Ｂとをそれぞれ連結している。
【図面の簡単な説明】
【００２５】
【図１】図１は、本発明の一実施例の家具の概略的斜視図である。
【図２】図２は、図１の家具の蓋を開いて昇降部を上昇させると共に、小物引き出し  部を開いた状態の概略的斜視図である。
【図３】図３は、図１の家具の概略的正面図である。
【図４】図４は、図３の４−４線による概略的断面図である。
【図５】図５は、図４の収納部を前に引き出すと共に、椅子を手前に引いた状態の概略的断面図である。
【図６】図６は、図５の状態の蓋を開いて昇降部を上昇させると共に、小物引き出し  部を開いた状態の概略的断面図である。
【図７】図７は、図６の概略的一部平面図である。
【図８】図８は、図７の８−８線による概略的断面図である。
【図９】図９は、図８の蓋を閉じた状態の概略的断面図である。
【図１０】図１０は、図１の家具を他の家具と連結した状態の概略的正面図である。
【図１１】図１１は、図１０の一部の概略的断面図である。
【図１２】図１２は、図１０と異なる他の実施例の概略的正面図である。
【図１３】図１３は、図１２の一部の概略的断面図である。
【符号の説明】
【００２６】
Ａ       家具
１       右側板
２       左側板
３       背面板
４       収納部
７       蓋
１０     スペース
２０     椅子
【図１】
2006014914.tif 000003
【図２】
2006014914.tif 000004
【図３】
2006014914.tif 000005
【図４】
2006014914.tif 000006
【図５】
2006014914.tif 000007
【図６】
2006014914.tif 000008
【図７】
2006014914.tif 000009
【図８】
2006014914.tif 000010
【図９】
2006014914.tif 000011
【図１０】
2006014914.tif 000012
【図１１】
2006014914.tif 000013
【図１２】
2006014914.tif 000014
【図１３】
2006014914.tif 000015